(57)【要約】      （修正有）【課題】高精度に光軸調整が可能で、信頼性の高い撮像装置を提供する。【解決手段】撮像装置において、撮像素子５１を搭載する基板５と、レンズ３ａを保持するレンズ鏡筒３と、レンズ鏡筒３を保持し、基板５と連結されたホルダ１と、ホルダ１とレンズ鏡筒３との間に配置され、ホルダ１に対して光軸方向にレンズ鏡筒３を付勢する圧縮ばね２と、ホルダ１と基板５との間に配置され、ホルダ１に対して光軸方向後方に基板５を付勢する圧縮ばね４ｂ、４ｃと、ホルダ１と基板５との光軸方向の距離を調整可能に連結する連結ねじ６ｂ、６ｃと、を備え、レンズ鏡筒３は、ホルダ１に対して光軸に垂直な方向に移動自在な構成とする。【選択図】図５
2019028416.tif 000002
【特許請求の範囲】
【請求項１】
撮像素子を搭載する基板と、
レンズを保持するレンズ鏡筒と、
前記レンズ鏡筒を保持し、前記基板と連結されたホルダと、
前記ホルダと前記レンズ鏡筒との間に配置され、前記ホルダに対して光軸方向に前記レンズ鏡筒を付勢する第１付勢部材と、
前記ホルダと前記基板との間に配置され、前記ホルダに対して光軸方向後方に前記基板を付勢する第２付勢部材と、
前記ホルダと前記基板との光軸方向の距離を調整可能に連結する連結具と、を備え、
前記レンズ鏡筒は、前記ホルダに対して光軸に垂直な方向に移動自在である、
撮像装置。
【請求項２】
前記連結具が複数の連結具からなり、
複数の前記連結具は、それぞれ独立して前記ホルダと前記基板との光軸方向の距離を調整可能である、
請求項１に記載の撮像装置。
【請求項３】
複数の前記連結具が３つの連結具である、
請求項２に記載の撮像装置。
【請求項４】
前記基板は、前記連結具が挿入される貫通孔を有しており、
前記連結具は、光軸方向後方から前方に向かって前記貫通孔に挿入されている、
請求項１から請求項３のいずれか１項に記載の撮像装置。
【請求項５】
前記連結具がねじであって、
前記ホルダと前記基板との光軸方向の距離は、前記ホルダに対する前記ねじのねじ込み量に応じて変化する、
請求項４に記載の撮像装置。
【請求項６】
前記第１付勢部材は、前記ホルダに対して前記レンズ鏡筒を光軸方向後方に付勢し、
前記レンズ鏡筒は、光軸方向移動規制部を有しており、
前記光軸方向移動規制部の光軸方向後方の面は、前記ホルダの光軸方向前方の面と当接している、
請求項１から請求項５のいずれか１項に記載の撮像装置。
【請求項７】
前記光軸方向移動規制部は、前記レンズ鏡筒の外周に複数形成されており、
前記ホルダは、
前記レンズ鏡筒が挿入される開口部を有しており、
前記開口部の外縁部であって複数の前記光軸方向移動規制部のそれぞれに対応した位置に、光軸方向に垂直な面における平面視で、前記光軸方向移動規制部よりも大きな面積を有する複数の切欠部を有しており、
光軸方向に垂直な面において、前記開口部の外径は前記光軸方向移動規制部の外径よりも小さい、
請求項６に記載の撮像装置。
【請求項８】
前記第１付勢部材は、前記レンズ鏡筒の周方向外側に配置された圧縮ばねである、
請求項１から請求項７のいずれか１項に記載の撮像装置。
【請求項９】
前記第２付勢部材は、前記連結具の周方向外側に配置された圧縮ばねである、
請求項１から請求項８のいずれか１項に記載の撮像装置。
【請求項１０】
前記第２付勢部材は、前記基板に対して前記ホルダを回転方向に付勢するトーションばねである、
請求項９に記載の撮像装置。
【請求項１１】
前記第２付勢部材は、前記ホルダに当接する第１腕部と、前記基板に当接する第２腕部とを有している、
請求項１０に記載の撮像装置。
【発明の詳細な説明】
【技術分野】
【０００１】
本発明の一態様は、撮像装置等に関する。
【背景技術】
【０００２】
レンズ鏡筒と、撮像素子を搭載した基板を有する撮像装置では、撮像素子に対してレンズ鏡筒の位置を調整し、光軸を調整する必要がある。光軸調整には、光軸方向における撮像素子とレンズとの距離の調整（ピント調整）、光軸に垂直な方向における撮像素子とレンズとの相対位置の調整（シフト調整）、及び撮像素子とレンズとの間の傾きの調整（チルト調整）などがある。特許文献１〜３には、光軸調整を精度良く行うための従来の構成が開示されている。
【先行技術文献】
【特許文献】
【０００３】
【特許文献１】特開２００５−９４７３１号公報
【特許文献２】特開２００６−３０８９８７号公報
【特許文献３】特開２０１２−４９６２１号公報
【発明の概要】
【発明が解決しようとする課題】
【０００４】
近年、カメラなどの撮像装置の小型化や高精度化に伴い、従来よりも高い精度で光軸調整を行い、撮像装置を組み立てた後にも光軸がずれない構成にすることに対する要求が高まっている。これに対し、従来の構成では、十分に高精度に光軸調整を行うことができない場合があった。また、組み立てた後に光軸がずれてしまう場合もあり、信頼性に課題を有する場合があった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
撮像素子を搭載する基板（５）と、
レンズを保持するレンズ鏡筒（３）と、
前記レンズ鏡筒を保持し、前記基板と連結されたホルダ（１）と、
前記ホルダと前記レンズ鏡筒との間に配置され、前記ホルダに対して光軸方向に前記レンズ鏡筒を付勢する第１付勢部材（２）と、
前記ホルダと前記基板との間に配置され、前記ホルダに対して光軸方向後方に前記基板を付勢する第２付勢部材（４ａ〜４ｃ）と、
前記ホルダ（１）と前記基板（５）との光軸方向の距離を調整可能に連結する連結具（６ａ〜６ｃ）と、を備え、
前記レンズ鏡筒（３）は、前記ホルダ（１）に対して光軸に垂直な方向に移動自在である、
撮像装置である。
【０００７】
上記構成の撮像装置では、光軸に対して全方向について比較的容易に位置調整を行うことが可能な構成としつつ、必ずしも接着剤を必要としない構成とすることで、装置組立後の温度変化により光軸がずれることを抑制する構成とすることができる。これによって、光軸調整の精度を高め、信頼性の高い構成とすることができる。
【０００８】
上記撮像装置において、好ましくは、
前記連結具が複数の連結具（６ａ〜６ｃ）からなり、
複数の前記連結具は、それぞれ独立して前記ホルダと前記基板との光軸方向の距離を調整可能である。
【０００９】
上記構成の撮像装置によれば、基板に搭載された撮像素子と、レンズとの間の傾きを調整しやすい構成にすることができる。
【００１０】
上記撮像装置において、好ましくは、
複数の前記連結具が３つの連結具（６ａ〜６ｃ）である。
【００１１】
上記構成の撮像装置によれば、基板に搭載された撮像素子と、レンズとの間の傾きを、簡易な構成でより安定的に調整可能な構成にすることができる。
【００１２】
上記撮像装置において、好ましくは、
前記基板は、前記連結具が挿入される貫通孔（５２ａ〜５２ｃ）を有しており、
前記連結具は、光軸方向後方から前方に向かって前記貫通孔に挿入されている。
【００１３】
上記構成の撮像装置によれば、光軸方向後方から連結具にアクセスすることで、撮像素子とレンズとの間の距離及び傾きを調整可能な構成とすることができる。
【００１４】
上記撮像装置において、好ましくは、
前記連結具がねじであって、
前記ホルダと前記基板との光軸方向の距離は、前記ホルダに対する前記ねじのねじ込み量に応じて変化する。
【００１５】
上記構成の撮像装置によれば、ねじを用いることで、比較的容易に撮像素子とレンズとの間の距離及び傾きを調整可能な構成とすることができる。
【００１６】
上記撮像装置において、好ましくは、
前記第１付勢部材（２）は、前記ホルダに対して前記レンズ鏡筒を光軸方向後方に付勢し、
前記レンズ鏡筒は、光軸方向移動規制部（３１）を有しており、
前記光軸方向移動規制部の光軸方向後方の面は、前記ホルダの光軸方向前方の面と当接している。
【００１７】
上記構成の撮像装置によれば、撮像装置の使用者がレンズ鏡筒に光軸方向前方から触ったとしても、レンズ鏡筒が光軸方向に移動してしまうことを防止する構成にすることができる。これによって、レンズと撮像素子との間の距離がずれてしまうことに起因するピントのずれを抑制した構成とすることができる。
【００１８】
上記撮像装置において、好ましくは、
前記光軸方向移動規制部は、前記レンズ鏡筒の外周に複数形成されており、
前記ホルダは、
前記レンズ鏡筒が挿入される開口部を有しており、
前記開口部の外縁部であって複数の前記光軸方向移動規制部のそれぞれに対応した位置に、光軸方向に垂直な面における平面視で、前記光軸方向移動規制部よりも大きな面積を有する複数の切欠部を有しており、
光軸方向に垂直な面において、前記開口部の外径は前記光軸方向移動規制部の外径よりも小さいことを特徴とする。
【００１９】
上記構成の撮像装置によれば、追加部材を用いることなく、光軸方向後方からホルダに対してレンズ鏡筒を挿入することで容易に組み立てることが可能な構成とすることができる。また、組立後、レンズ鏡筒を光軸を中心として回転させることで、ホルダの開口部の外縁が、光軸方向移動規制部が光軸方向に抜けることを規制する構成となるため、ホルダからレンズ鏡筒が抜けることを抑制することができる。
【００２０】
上記撮像装置において、好ましくは、
前記第１付勢部材は、前記レンズ鏡筒の周方向外側に配置された圧縮ばねである。
【００２１】
上記構成の撮像装置によれば、比較的簡易な構成で、レンズ鏡筒とホルダとの相対位置を安定させることができる。
【００２２】
上記撮像装置において、好ましくは、
前記第２付勢部材は、前記連結具の周方向外側に配置された圧縮ばねである。
【００２３】
上記構成の撮像装置によれば、比較的簡易な構成で、ホルダと基板及び撮像素子との相対位置を安定させることができる。
【００２４】
上記撮像装置において、好ましくは、
前記第２付勢部材（４ｄ）は、前記基板に対して前記ホルダを回転方向に付勢するトーションばねである。
【００２５】
上記構成の撮像装置によれば、基板に対してホルダが回転方向に付勢されることでガタ寄せされ、基板に対するホルダの回転方向の位置を安定させることができる。
【００２６】
上記撮像装置において、好ましくは、
前記第２付勢部材は、前記ホルダに当接する第１腕部（４１）と、前記基板に当接する第２腕部（４２）とを有している。
【００２７】
上記構成の撮像装置によれば、第１腕部と第２腕部とが互いに回転方向に向かう付勢力を与える構成とすることができ、比較的簡易な構成で、基板に対するホルダの回転方向の位置を安定させることができる。
【図面の簡単な説明】
【００２８】
【図１】図１は、光軸方向前方側から見た実施形態１の撮像装置の外観斜視図である。
【図２】図２は、光軸方向前方側から見た実施形態１の撮像装置の分解斜視図である。
【図３】図３は、光軸方向後方側から見た実施形態１の撮像装置の分解斜視図である。
【図４】図４は、光軸方向前方側から見た実施形態１の撮像装置の平面図である。
【図５】図５は、図４のＡ−Ａの位置における実施形態１の撮像装置の断面図である。
【図６】図６は、光軸方向前方側から見た実施形態２の撮像装置の分解斜視図である。
【図７】図７は、光軸方向後方側から見た実施形態２の撮像装置の分解斜視図である。
【図８】図８は、実施形態２の撮像装置におけるトーションばね周辺の拡大図である。
【図９】図９は、実施形態２の撮像装置におけるトーションばね周辺の拡大図である。
【図１０】図１０は、実施形態２の撮像装置におけるトーションばね周辺の拡大図である。
【図１１】図１は、実施形態２の撮像装置の断面図である。
【発明を実施するための形態】
【００２９】
本発明の撮像装置は、比較的簡易な構造で、ホルダを基準に、レンズ鏡筒に保持されたレンズ、及び基板に搭載された撮像素子の、それぞれとの相対位置を調整可能にすることで、高精度な光軸調整を実施可能な構成としている点を特徴のひとつとする。
【００３０】
なお、本明細書では、レンズの中心位置であって、撮像素子に入射する光の中心位置を「光軸」と称する。レンズに対して撮像素子とは反対側に位置する撮像対象を「被写体」と称する。レンズに対して被写体が位置する方向を、「光軸方向前方」または「フロント側」と称することがある。レンズに対して撮像素子が位置する方向を、「光軸方向後方」または「リア側」と称することがある。また、各図には、互いに直交するＸ軸、Ｙ軸、及びＺ軸を示している。Ｚ軸は、光軸の延びる方向と平行な方向である。
【００３１】
本発明に係る実施形態について、以下の構成に従って説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．補足事項
【００３２】
＜１．実施形態１＞
【００３３】
本発明の実施形態１について、図面を参照しながら説明する。図１は本実施形態の撮像装置を光軸方向前方側から見た外観斜視図である。図２及び図３は、本実施形態の撮像装置の各構成を示した分解斜視図であり、図２は光軸方向前方側から見た図、図３は光軸方向後方側から見た図である。図４は、本実施形態の撮像装置を光軸方向前方側から見た平面図である。図５は、図４のＡ−Ａの位置における断面図である。
【００３４】
主に図２及び図３に示されるように、本実施形態の撮像装置は、ホルダ１、圧縮ばね２、レンズ鏡筒３、圧縮ばね４ａ〜４ｃ、基板５、及び連結ねじ６ａ〜６ｃを含んで構成される。
【００３５】
＜ホルダ１＞
ホルダ１は、圧縮ばね２、レンズ鏡筒３、圧縮ばね４ａ〜４ｃ、及び基板５を保持する。ホルダ１は、光軸方向前方に、円筒状に貫通するよう形成された開口部１ａを有しており、この開口部１ａの径方向内側に、圧縮ばね２、及びレンズ鏡筒３が保持される。ホルダ１の開口部１ａに対して、圧縮ばね２及びレンズ鏡筒３は、光軸方向後方から挿入される。
【００３６】
図５に示されるように、ホルダ１の開口部１ａにおいて、光軸方向において最も前方の位置は、レンズ鏡筒３の第１凸部３１と第２凸部３２との間に挟まれるよう位置する。また、ホルダ１は、光軸方向前方の面が、レンズ鏡筒３の第１凸部３１の光軸方向後方の面と当接するよう配置される。ホルダ１は、レンズ鏡筒３に対して、圧縮ばね２によって光軸方向前方に付勢されているため、ホルダ１の光軸方向前方の面は、レンズ鏡筒３の光軸方向後方の面に、光軸方向前方に付勢されながら当接している。これにより、光軸方向において、ホルダ１とレンズ鏡筒３の位置が安定的に保持されている。なお、第１凸部３１は、「光軸方向移動規制部」の一構成例である。
【００３７】
図２に示されるように、ホルダ１の開口部１ａにおける光軸方向の最前方には、開口部１ａを形成する円状部分から径方向外側に広がる、３箇所の切欠部が形成されている。光軸に垂直な平面において、切欠部の面積は、それぞれ対応する第１凸部３１の面積よりも大きい。また、開口部１ａの外径は、第１凸部３１の外径よりも小さくなっている。これらの３箇所の切欠部には、レンズ鏡筒３が有する３つの第１凸部３１が、光軸方向後方から前方に向かって挿入可能になっている。これらの切欠部にレンズ鏡筒３の第１凸部３１が挿入された状態で、ホルダ１に対してレンズ鏡筒３が光軸を中心軸として回転されると、光軸方向から見て、切欠部と第１凸部３１との位置がずれ、ホルダ１とレンズ鏡筒３とが連結された状態となる。これにより、第１凸部３１の光軸方向後方には開口部の外縁が位置することとなり、ホルダ１に対してレンズ鏡筒３が光軸方向後方に抜けることが防止される構成となっている。
【００３８】
ホルダ１は、連結ねじ６ａ〜６ｃによって、基板５と連結されている。より具体的には、光軸方向後方に形成された溝状のねじ孔１１（図５参照）に、光軸方向後方から基板５の貫通孔５２ａ〜５２ｃに挿通された連結ねじ６ａ〜６ｃが挿入され、連結ねじ６ａ〜６ｃとねじ孔１１とがねじ嵌合している。連結ねじ６ａ〜６ｃの軸部には圧縮ばね４ａ〜４ｃがそれぞれ配置されている。圧縮ばね４ａ〜４ｃは、基板５の光軸方向前方と、ホルダ１の光軸方向後方とに当接し、基板５に対してホルダ１と光軸方向前方に付勢している。つまり、ホルダ１は、圧縮ばね４ａ〜４ｃによって光軸方向前方に付勢されている。
【００３９】
＜圧縮ばね２＞
圧縮ばね２は、円筒状でらせん状に形成された巻きばねである。圧縮ばね２は、レンズ鏡筒３の径方向外側であって、光軸に垂直な方向（径方向）において、レンズ鏡筒３とホルダ１との間に配置される。圧縮ばね２の光軸方向前方の端部はホルダ１と接し、光軸方向後方の端部はレンズ鏡筒３の後方面３３と接する。圧縮ばね２は、ホルダ１とレンズ鏡筒３とを互いに離れる方向に付勢する。なお、圧縮ばね２は、板ばねなどの他の付勢部材に置き換えられても良い。圧縮ばね２は、本発明の「第１付勢部材」の一構成例である。
【００４０】
＜レンズ鏡筒３＞
レンズ鏡筒３は、光軸方向に伸びる円筒状の部材であって、レンズ３ａを含む１以上の光学部材を保持する。レンズ鏡筒３は、円筒状の部分から径方向外側にそれぞれ突出する第１凸部３１及び第２凸部３２有する。第１凸部３１は、レンズ鏡筒３の径方向外側に３箇所形成されており、それぞれ周方向に非連続になっている。第２凸部３２は、レンズ鏡筒３の径方向外側に、周方向に連続になるよう形成されている。
【００４１】
レンズ鏡筒３は、光軸方向後方の端部に、径方向外側に広がる後方面３３を有する。レンズ鏡筒３の後方面３３の光軸方向前方の面は、圧縮ばね２の光軸方向後方の端部と当接している。これにより、レンズ鏡筒３は、ホルダ１に対して光軸方向後方に付勢される。
【００４２】
レンズ鏡筒３に保持される光学部材には、レンズ３ａの他に、レンズ、スペーサ、口径板、及び光学フィルタ（図示省略）などが含まれる。レンズ３ａを含むレンズは、ガラスまたはプラスチック等の透過性を有する素材で形成され、光軸方向前方からの光を屈折させながら光軸方向後方に透過させる。スペーサは、光軸方向に適度な厚みを有する円板状の部材であり、各レンズの光軸方向の位置を調整する。スペーサは、光軸を含む中心部に開口部を有する。口径板は、通過する光の最外位置を決める。光学フィルタは、所定の波長の光を抑制または遮蔽する。光学フィルタは、例えば、通過する赤外線を抑制する赤外線カットフィルタなどが含まれる。これらの光学部材の数は、任意に変更可能である。
【００４３】
レンズ鏡筒３は、ホルダ１及び基板５を含むいずれの構成に対してもねじ嵌合などしておらず、光軸に対して垂直なＸＹ平面において移動可能（変位可能）に配置されている。組立時には、ＸＹ平面において、ホルダ１に基準としてレンズ鏡筒３を移動させることで、光軸の位置調整を行うことができる。ホルダ１に対するレンズ鏡筒３の位置が確定したら、必要に応じて接着剤等を用いて固定することで、より強固にホルダ１とレンズ鏡筒３とを固定することができる。
【００４４】
＜圧縮ばね４ａ〜４ｃ＞
圧縮ばね４ａ〜４ｃは、それぞれ円筒状でらせん状に形成された巻きばねである。圧縮ばね４ａ〜４ｃは、それぞれ連結ねじ６ａ〜６ｃの径方向外側に配置される。圧縮ばね４ａ〜４ｃの光軸方向前方の端部はホルダ１の光軸方向後方の面に当接し、光軸方向後方の端部は基板５の光軸方向前方の面に当接する。圧縮ばね４ａ〜４ｃは、ホルダ１と基板５とを互いに離れる方向に付勢する。なお、圧縮ばね２は、板ばねなどの他の付勢部材に置き換えられても良い。圧縮ばね４ａ〜４ｃは、本発明の「第２付勢部材」の一構成例である。
【００４５】
＜基板５＞
基板５は、リジッド基板であって、撮像素子５１を含む電子部品が搭載される。撮像素子５１は、照射された光を電気信号に変換する光電変換素子であり、例えばＣ−ＭＯＳセンサやＣＣＤなどであるが、これらに限定されるものではない。なお、撮像装置においては、撮像素子５１以外の撮像機能を要する撮像部を採用してもよい。
【００４６】
図５に示されるように、基板５の光軸方向前方の面は圧縮ばね４ａ〜４ｃの光軸方向後方の端部に接しているため、ホルダ１に対して、基板５は光軸方向後方に付勢されている。基板５は、ホルダ１に形成された３つのねじ孔１１に対向する位置に、貫通孔５２ａ〜５２ｃを有している。貫通孔５２ａ〜５２ｃには、それぞれ連結ねじ６ａ〜６ｃが挿通される。連結ねじ６ａ〜６ｃの頭部は、基板５の光軸方向後方の面に接する。つまり、基板５は、圧縮ばね４ａ〜４ｃによって光軸方向後方に付勢され、連結ねじ６ａ〜６ｃに押圧されることでその位置が安定している。
【００４７】
基板５は、３つの連結ねじ６ａ〜６ｃによって、間に圧縮ばね４ａ〜４ｃを介在させながら、ホルダ１と連結されている。そのため、ホルダ１のねじ孔１１への連結ねじ６ａ〜６ｃのねじ込み量を調整することで、連結ねじ６ａ〜６ｃのそれぞれの位置における基板５とホルダ１との距離を変化させることができる。よって、連結ねじ６ａ〜６ｃのねじ込み量を変化させることで、基板５とホルダ１との光軸方向（Ｚ軸方向）における距離を変化させることができるとともに、ホルダ１に対する基板５の傾き（チルト）を調整することが可能となる。ホルダ１に対する基板５の位置が確定したら、必要に応じて接着剤等を用いて固定することで、より強固にホルダ１と基板５とを固定することができる。
【００４８】
なお、基板５は、必ずしも１枚のリジッド基板である必要はなく、複数のリジッド基板をフレキシブル基板で連結したような構成を採用しても良い。この場合、撮像素子が搭載された基板が本実施形態における基板５に対応する構成となる。
【００４９】
このように、本実施形態の撮像装置では、ホルダ１を基準に、レンズ鏡筒３が光軸に垂直な方向に移動自在であり、基板５が連結ねじ６ａ〜６ｃによって光軸方向の距離を調整可能であるため、光軸に対して全方向について比較的容易に位置調整を行うことが可能な構成とすることができる。また、必ずしも接着剤を必要としない構成であるため、装置組立後の温度変化により光軸がずれることを抑制する構成とすることができる。これによって、光軸調整の精度を高め、信頼性の高い構成とすることができる。
【００５０】
なお、圧縮ばね２は、ホルダ１に対してレンズ鏡筒３を光軸方向後方に向かって付勢するのではなく、光軸方向前方に向かって付勢する構成であっても良い。このような構成であってもホルダ１に対してレンズ鏡筒３が安定的に保持される。
【００５１】
また、本実施形態の撮像装置では、３本の連結ねじ６ａ〜６ｃが、それぞれ独立して位置調整可能であるため、基板５に搭載された撮像素子５１と、レンズ鏡筒３のレンズ３ａ等との間の傾きを調整しやすい構成にすることができる。
【００５２】
なお、ホルダ１と基板５とを連結する連結ねじは必ずしも３本でなくても良いが、この連結ねじを３本にすることによって、比較的簡易な構成で、安定的にホルダ１と基板５との位置を調整することが可能となる。
【００５３】
また、本実施形態の撮像装置では、基板５が貫通孔５２ａ〜５２ｃを有しており、連結ねじ６ａ〜６ｃが光軸方向後方から前方に向かって、ホルダ１のねじ孔１１に挿入された構成としている。そのため、光軸方向後方から連結ねじ６ａ〜６ｃにアクセスすることで、基板５の撮像素子５１とレンズ鏡筒３のレンズ３ａなどとの間の距離及び傾きを調整可能な構成とすることができる。
【００５４】
なお、本実施形態の撮像装置では、ホルダ１と基板５との連結を連結ねじ６ａ〜６ｃにより行ったが、ねじ以外の連結具を用いても良い。ただし、連結ねじを採用すると、ホルダ１に対する連結ねじ６ａ〜６ｃのねじ込み量に応じてホルダ１と基板５との光軸方向の距離が変化するため、比較的容易に基板５の撮像素子５１とレンズ鏡筒３のレンズ３ａなどとの間の距離及び傾きを調整可能な構成とすることができるため好ましい。
【００５５】
また、本実施形態の撮像装置では、レンズ鏡筒３が第１凸部３１を有しており、ホルダ１の光軸方向前方の面と第１凸部３１の光軸方向後方の面とが当接し、圧縮ばね２によってホルダ１が光軸方向前方に向かって付勢された構成としている。そのため、撮像装置の使用者がレンズ鏡筒３に光軸方向前方から触ったとしても、レンズ鏡筒３が光軸方向に移動してしまうことを防止する構成にすることができる。これによって、レンズ鏡筒３に保持されたレンズ３ａなどと、基板５の撮像素子５１との間の距離がずれてしまうことに起因するピントのずれを抑制した構成とすることができる。
【００５６】
なお、圧縮ばね２及び圧縮ばね４ａ〜４ｃは、どちらも圧縮ばね以外の付勢部材に置き換えても一定の効果が得られるが、圧縮ばねを用いることで、比較的簡易な構成で光軸調整を実施可能になる点で好ましい。
【００５７】
＜２．実施形態２＞
次に、本発明の実施形態２について、図面を参照しながら説明する。図６及び図７は、本実施形態の撮像装置の各構成を示した分解斜視図であり、図６は光軸方向前方側から見た図、図７は光軸方向後方側から見た図である。図６及び図７は、実施形態１の図２及び図３にそれぞれ対応する。図８〜図１０は、本実施形態の特徴部分であるトーションばね４ｄ周辺の拡大図である。図８は、連結ねじ６ｃが挿入される前の状態の、トーションばね４ｄが収容されたホルダ１の凹部１２ｄを示す図である。図９及び図１０は、連結ねじ６ｃが挿入された状態の、トーションばね４ｄの収容部分近傍の図である。図１０は、図９の透過図となっている。図１１は、本実施形態の撮像装置の断面図である。図１１は、実施形態１の図５に対応する。
【００５８】
図６及び図７に示されるように、本実施形態の撮像装置は、実施形態１の圧縮ばね４ｃに代えて、トーションばね４ｄを有する構成となっている。
【００５９】
ホルダ１は、圧縮ばね４ａ、４ｂ、及びトーションばね４ｄを収容するとともに、連結ねじ６ａ〜６ｃがそれぞれ挿入される凹部１２ａ、１２ｂ、及び１２ｄを有する。凹部１２ａ及び１２ｂは単純な筒状の窪み形状となっているが、凹部１２ｄは、トーションばね４ｄの第１腕部４１が配置される切欠きを有する形状となっている（特に図８参照）。つまり、凹部１２ｄにはトーションばね４ｄが収容され、第１腕部４１が切欠きに収容される。凹部１２ｄの光軸方向前の底部には、連結ねじ６ｃとねじ嵌合可能なねじ山を有したねじ孔１１が形成される。
【００６０】
基板５は、実施形態１の貫通孔５２ｃに代えて、長孔形状の貫通孔である長孔５２ｄを有する。長孔５２ｄには、光軸方向後方から連結ねじ６ｃが挿通される。連結ネジ６ｃは、凹部１２ｄを挿通されながら、ねじ孔１１に挿入される。基板５の長孔５２ｄには、トーションばね４ｄの第２腕部４２が挿入される（図９及び図１０参照）。
【００６１】
トーションばね４ｄは、既に説明したように第１腕部４１及び第２腕部４２を有する。第１腕部４１はホルダ１の凹部１２ｄの切欠きに当接し、第２腕部４２は基板５の長孔５２ｄの内側の縁部に当接する。トーションばね４ｄの第１腕部４１及び第２腕部４２は、互いに回転方向に付勢力を与えるよう構成されている。そのため、トーションばね４ｄが配置されることで、ホルダ１と基板５とが互いに回転方向に付勢されることとなる。すなわち、ホルダ１に対して基板５が回転方向に付勢され、逆に基板５に対してホルダ１が回転方向に付勢される。
【００６２】
なお、図９に示されるように、トーションばね４ｄの第２腕部４２は、長孔５２ｄの内側の縁部だけでなく、連結ねじ６ｃの頭部に当接してもよい。
【００６３】
本実施形態の撮像装置では、このようにトーションばね４ｄによって、基板５に対してホルダ１を回転方向に付勢する構成としているため、基板５に対してホルダ１がガタ寄せされ、基板５に対するホルダ１の回転方向の位置を安定させることができる。これによって、実施形態１の構成よりも、ホルダ１及び基板５の位置をさらに精度良く、安定的に調整することが可能となる。
【００６４】
また、本実施形態の撮像装置に含まれるトーションばね４ｄは、第１腕部４１と第２腕部４２とによって回転方向の付勢力を発生させているため、比較的簡易な構成で、基板５に対するホルダ１の回転方向の位置を安定させることができる。
【００６５】
なお、本実施形態では、トーションばね４ｄの第１腕部４１は凹部１２ｄの切欠きに配置されていたが、このような構成に限定されるものではなく、ホルダ１に当接して付勢力を与える配置とすればよい。また、トーションばね４ｄの第２腕部４２は長孔５２ｄに配置されていたが、このような構成に限定されるものではなく、基板５に当接して付勢力を与える構成とすればよい。具体的には、ホルダ１と基板５とが、第１腕部４１及び第２腕部４２をそれぞれ保持する細孔部を有する構成などを採用してもよい。
【００６６】
また、本実施形態では、実施形態１の圧縮ばね４ａ〜４ｃのうちの１つをトーションばね４ｄに置き換えた構成としていたが、トーションばねを複数備える構成としても良い。この場合、複数のトーションばねからホルダ１と基板５とに与えられる付勢力は、同じ回転方向に与えられるようにすることが好ましい。
【００６７】
＜３．補足事項＞
以上、本発明の実施形態についての具体的な説明を行った。上記説明では、あくまで一実施形態としての説明であって、本発明の範囲はこの一実施形態に留まらず、当業者が把握可能な範囲にまで広く解釈されるものである。
【００６８】
本発明の撮像装置は、特に高精度に光軸の調整を行う必要がある、自動車などに搭載される車載用の撮像装置として特に有用である。
【産業上の利用可能性】
【００６９】
本発明は、車載用の撮像装置などとして好適に利用される。
【符号の説明】
【００７０】
１…ホルダ
１ａ…開口部
１１…ねじ孔
１２ａ、１２ｂ、１２ｄ…凹部
２…圧縮ばね
３…レンズ鏡筒
３ａ…レンズ
３１…第１凸部
３２…第２凸部
３３…後方面
４ａ〜４ｃ…圧縮ばね
４ｄ…トーションばね
４１…第１腕部
４２…第２腕部
５…基板
５１…撮像素子
５２ａ〜５２ｃ…貫通孔
５２ｄ…長孔
６ａ〜６ｃ…連結ねじ
【図１】
2019028416.tif 000003
【図２】
2019028416.tif 000004
【図３】
2019028416.tif 000005
【図４】
2019028416.tif 000006
【図５】
2019028416.tif 000007
【図６】
2019028416.tif 000008
【図７】
2019028416.tif 000009
【図８】
2019028416.tif 000010
【図９】
2019028416.tif 000011
【図１０】
2019028416.tif 000012
【図１１】
2019028416.tif 000013